(57)【要約】【課題】供給電源の異常値や、電力量計への配線の改ざん等による異常値の発見、記録がサービス員によって容易に行える電力量計の計量状態表示方法を提供する。【解決手段】電力量計１０の窓面に備えた表示部４の表示内容を現在値表示と確定値表示に切替える操作スイッチ６を備え、前記表示内容は、現在値表示においては使用中の電力量、確定値表示においては所定の積算期間で確定される積算電力量及び積算期間の電力量の異常値判定内容を表示し、操作スイッチ６によって確定値表示への切替えがされた時、前記現在値表示の電力量の表示を前記積算電力量の表示に切替え、異常値が検出された場合には前記異常値判定内容を自動的に遷移させて表示し、前記異常値判定内容の表示が終了すると再び現在値の電力量を表示するようにしたことを特徴とする。【選択図】  図１
2004340857.tif 000002
【特許請求の範囲】
【請求項１】
電力量計の窓面に備えた表示部の表示内容を現在値表示と確定値表示に切替える切替え手段を備え、
前記表示内容は、現在値表示においては使用中の電力量、確定値表示においては所定の積算期間で確定される積算電力量及び積算期間の電力量の異常値判定内容を表示し、
前記切替え手段によって確定値表示への切替えがされた時、前記現在値表示の電力量の表示を前記積算電力量の表示に切替え、異常値が検出された場合には前記異常値判定内容を自動的に遷移させて表示し、前記異常値判定内容の表示が終了すると再び現在値の電力量を表示するようにしたことを特徴とする電力量計の計量状態表示方法。
【請求項２】
前記表示内容の切替え手段は、前記所定の積算期間の確定値表示を操作スイッチによって表示内容を切替え、異常値判定内容も操作スイッチにより遷移させて表示する様にしたことを特徴とする請求項１に記載の電力量計の計量状態表示方法。
【請求項３】
電力量計の窓面に備えた表示部の表示内容を現在値表示と確定値表示に切替える切替え手段を備え、
前記表示内容は、現在値表示においては使用中の電力量を表示する第１の画面、確定値表示においては所定の積算期間で確定される積算電力量を表示する第２の画面と及び積算期間の電力量の異常値判定内容を表示する第３の画面とを備え、前記第２の画面には前記所定の積算期間内の異常が検出された場合には異常の有無を表示し、さらに続けて第３の画面を自動的に遷移させて表示し、前記第３の画面の表示が終了すると再び第１の画面を表示するようにしたことを特徴とする電力量計の計量状態表示方法。
【請求項４】
前記第３の画面は異常値判定内容の表示は、異常値判定項目をコード化し、発生した異常値項目毎に遷移させて表示するようにしたことを特徴とする請求項３に記載の電力量計の計量状態表示方法。
【請求項５】
前記異常値判定内容は、少なくとも使用電力の欠相、逆相、電流の方向、過電圧及び過電流の異常値判定結果及びその発生時刻及び発生回数を記憶したものであることを特徴とする請求項１乃至請求項４のいずれか１項に記載の電力量計の計量状態表示方法。
【請求項６】
前記切替え手段は、前記電力量計本体と通信によって遠隔操作するようにしたことを特徴とする請求項１乃至請求項５のいずれか１項に記載の電力量計の計量状態表示方法。
【発明の詳細な説明】
【０００１】
【発明の属する技術分野】
本発明は、電力量計の計量状態の表示方法及びその電力量計に係わり、特に異常状態の履歴の読み取り及び記録がしやすいように改良された電力量計の計量状態表示方法に関する。
【０００２】
【従来の技術】
電力量計は、電力会社から送電した電力を需要家で消費した分を月単位で積算する機能を有し、電力会社から派遣されたサービス員が需要家を巡回して月毎の積算電力量を確定し、需要家はこの確定された積算電力量に基づいて電力料金を支払っている。
【０００３】
この電力量計には、各需要家で計量される電力量に格差を生じないように各電力量計の精度を同一とするために、電力量計の内部計測回路の調整を行い、この後、外部から改ざんが出来ないように検定封印がされている。さらに、検定封印された電力量計は、需要家で取り付け後、電力線の配線の改ざん等を防ぐ目的で電力封印がされる。
【０００４】
このような従来の電力量計について図５乃至図７を参照して説明する。図５は電力量計２０の斜視図である。２０ａは電力封印部で２０ｂは供給される電力の配線孔である。１４ａは電力量計２０の上部に配置される計量電力量の図に示した表示回路１４の表示画面で、この表示画面は１４ａ１、１４ａ２，１４ａ３、１４ａ４及び１４ａ５の表示画面部から構成される。
【０００５】
夫々の表示画面部は、図６に示す様に、表示画面部１４ａ１においては、表示される電力量が「確定値」か、「現在値」か、を表示し、表示画面部１４ａ２，１４ａ３，１４ａ４においては夫々電力量、有効電力量、無効電力量を表示し、表示画面部１４ａ５においては測定日時が表示される。
【０００６】
表示画面部１４ａ１は、通常「現在値」を表示しているが、電力会社から派遣されるサービス員が電力封印部２０ａ内に置かれる確定押しボタン１６を押すと、表示画面部１４ａの表示が「確定値」に切り替わり、このとき表示画面部１４ａ２、１４ａ３、１４ａ４には夫々前月の確定期間における積算値の電力量、有効電力量、無効電力量が表示される。
【０００７】
そしてこの時の測定日時が表示画面部１４ａ５に表示される。
【０００８】
また、表示画面１４ａの表示時間は、読み取り可能な、例えば、１０秒程度の間表示されるので、サービス員はこの時間に表示されている値を読み取って記録する。１０秒経過すると現在値に自動復帰する。
【０００９】
このような従来の電力量計２０の内部構成を図７に示す。同図において、供給電源が３相交流の場合を示し、入力される電源は、図示しない電力量計２０の端子部において負荷側にも並列に配線される。
【００１０】
電力量計２０は、端子部からＲ、Ｓ、Ｔの各相の入力を所定の信号レベルに変換する電流・電圧変換回路１１、変換された信号から電力を演算する電力演算回路１２、演算された電力量を記憶する記憶回路１５、記憶された電力量を一定周期で表示する表示回路１４、月毎の電力を確定する確定押しボタン１６、及びこれら各部を制御するＣＰＵ（Ｃｅｎｔｒａｌ  Ｐｒｏｃｅｓｓｉｎｇ  Ｕｎｉｔ）１７とから構成される。
【００１１】
しかしながら、電力量計２０においては、電力量計２０の外部において、何らかの改ざんがされることも考えられる。例えば、配線の改ざん等によって電力量計に電源電圧が供給されない、欠相等が生じることも考えられる。その場合には、欠相の判定等を行い、改ざんの証拠を記録することも知られている（特許文献１。）。
【００１２】
また、配線の改ざんや供給配線を介して電力の返電等によって電流の流れる方向を変えることも考えられるので、そのため負電力量を計量し、記録することが知られている（特許文献２。）。
【００１３】
【特許文献１】
特開２００１−８３１９１号公報
【００１４】
【特許文献２】
特開２０００−２３０９４３６号公報
【００１５】
【発明が解決しようとする課題】
このように従来の電力量計においては配線の改ざん等に対して生じる異常値の電力量の計量、記録を行うことは知られているものの、その異常値の履歴管理を可能とする記録、表示方法は知られていない。
【００１６】
特許文献１では、使用された電力の電圧、電流、周波数及び各相間の位相差の異常値を検出し、この時の異常値期間の電力量を計量する手段が知られている。しかし、多数の電力量計の異常値項目を、巡回するサービス員が、電力量計の小さな表示部の電力表示画面から簡単に読み取ることは困難である。
【００１７】
また、特許文献２では、負電力量を計量して記録し、改ざんされた電力需要荷に対する警告を行うことが知られている。しかし、使用された電力が多相電源の場合は、どの相が不正使用されたのか明確でなく、使用者への警告内容としては不充分である。
【００１８】
本発明は上記問題点を解決するためになされたもので、供給電源の異常値の発見や、電力量計への配線の改ざん等による異常値の発見、記録がサービス員によって容易に、確実に行える電力量計の計量状態表示方法を提供することを目的とする。
【００１９】
【課題を解決するための手段】
上記目的を達成するために、本発明の電力量計の計量状態表示方法は、電力量計の窓面に備えた表示部の表示内容を現在値表示と確定値表示に切替える切替え手段を備え、前記表示内容は、現在値表示においては使用中の電力量、確定値表示においては所定の積算期間で確定される積算電力量及び積算期間の電力量の異常値判定内容を表示し、
前記切替え手段によって確定値表示への切替えがされた時、前記現在値表示の電力量の表示を前記積算電力量の表示に切替え、異常値が検出された場合には前記異常値判定内容を自動的に遷移させて表示し、前記異常値判定内容の表示が終了すると再び現在値の電力量を表示するようにしたことを特徴とする。
【００２０】
したがって、本発明によれば、供給電源の異常値の発見や、電力量計への配線等の改ざんに伴う異常値の発見、記録が容易に行える電力量計の計量状態の表示方法及びその電力量計の提供が可能となる。
【００２１】
また、請求項３においては、電力量計の窓面に備えた表示部の表示内容を現在値表示と確定値表示に切替える切替え手段を備え、前記表示内容は、現在値表示においては使用中の電力量を表示する第１の画面、確定値表示においては所定の積算期間で確定される積算電力量を表示する第２の画面と及び積算期間の電力量の異常値判定内容を表示する第３の画面とを備え、前記第２の画面には前記所定の積算期間内の異常が検出された場合には異常の有無を表示し、さらに続けて第３の画面を自動的に遷移させて表示し、前記第３の画面の表示が終了すると再び第１の画面を表示するようにしたことを特徴とする。
【００２２】
したがって、本発明によれば、小さな表示部面積で構成される電力量計においても、供給電源の異常値の発見や、電力量計への配線等の改ざんに伴う異常値の発見、記録が容易に行える電力量計の計量状態の表示方法及び電力量計の提供が可能となる。
【００２３】
【発明の実施の形態】
以下、本発明による実施の形態について図１乃至図４を参照して説明する。図１は、本発明による構成図である。Ｒ、Ｓ、Ｔ３相交流電源の電力を測定する電力量計１０は、入力された電源の電圧、電流を演算可能なデジタル信号に変換する電流・電圧変換回路１、変換された信号から電力を演算する電力演算回路２、変換された信号及び電力演算回路２の出力から供給電源の異常値を判定する異常値判定回路３、電力演算回路２及び異常値判定回路３の出力を記憶する記憶回路５及びその記憶回路の５の内容を表示する表示部４、電力使用期間の積算値と異常値判定内容の表示を指令する操作スイッチ６、これらの各部を制御するＣＰＵ７及びＣＰＵ７と接続される内部バス７ａとから構成される。
【００２４】
次に各部の詳細について説明する。電流・電圧変換回路１は入力される電源信号を所定の応答速度、所定の分解能でデジタル量に変換できるものであればよい。また、電力演算回路２は、デジタル量に変換された信号から、電力量の定義の基づく皮相電力量、有効電力量、無効電力量等の電力演算を行う機能を備えている。通常この演算は、ＤＳＰ（Ｄｉｇｉｔａｌ  Ｓｉｇｎａｌ  Ｐｒｏｃｅｓｓｏｒ）で行われる。
【００２５】
また、異常値判定回路５は、想定される電源の異常値の判定を行うもので、入力された電圧が所定の電圧値以上となったことを検出する過大電圧検出部と、同じく電流が所定の電流値以上となったことを検出する過大電流の検出部とを備える。
【００２６】
この検出は、電源の交流波形から実効値または平均値を求め、この値の大きさを所定の異常判定基準値と比較し異常値を判定する。
【００２７】
さらに、各相の配線が改ざんされた場合を想定して、各相の信号が所定の時間欠落または所定の値以下になったことを検出する欠相検出部、Ｒ、Ｓ、Ｔ各相の位相順が変ったことを検出する逆相検出部及び電力供給側への返電等を検出する電流方向検出部を備えておく。
【００２８】
これらの各異常値の判定機能も変換されたデジタル信号から、ＤＳＰによって判定の定義に基づき演算処理され、予め所定の判定値を超えたとき異常値としてＣＰＵ７に通知されるとともに、記憶回路５に記憶される。
【００２９】
次にこのように構成された電力量計の表示動作の概略について説明する。電力演算回路の２の出力は所定の測定周期で記憶回路５に記憶され、さらに所定の周期で表示部４に送信され、所定の表示周期で使用中の電力量の現在値が自動的に表示される。操作スイッチ６を操作して確定値を要求すると、前月の積算電力量、さらに異常値がある場合には異常値が、自動的に遷移して表示される。
【００３０】
この表示動作の詳細について、図２を参照して説明する。図２（ａ）は使用されている電力量の経時変化の例を示したもので、同図（ｂ）はその電力量、異常値判定の測定周期Δｔを示す。この測定周期Δｔは所定の時間分解能、例えば、１ｍｓｅｃ程度に設定され、さらに、使用されている電力量は読み取りに必要な１０秒程度の表示分解能ｔで表示され、刻々と変化する電力量を表示する。この状態を同図（ｂ）、（ｃ）及び（ｄ）に示す。
【００３１】
次ぎに、同図（ｅ）に示す様に、タイミングｔ１で月間確定の表示要求が操作スイッチ６によってＣＰＵ７に入力されると、表示部４には、前月の積算期間の電力量が表示される。さらに前月の積算期間において異常値判定の結果、異常値が検出されているとこの内容が自動的に遷移して表示される。表示が完了すると自動的に使用中の電力量の表示に戻る。
【００３２】
この動作は、例えば、タイミングｔ２でこの操作スイッ６の操作が繰り返されると、この動作を同様に繰り返す。この状態を同図（ｅ）の拡大タイムチャートとして示す。同図において、前月において異常値が２項目発生していることを図示している。
【００３３】
次に、図３及び図４を参照して、表示部４を介して液晶等で構成される表示部４の表示画面４ａに表示される表示内容の詳細について説明する。図３（ａ）は、電力量と異常値判定内容を同時に表示する表示画面４ａで、表示画面４ａの表示面積が比較的大きく構成出来る場合の例を示し、同図（ｂ）は表示部面積が小さい場合に、これらの表示を分割表示する場合の表示の分割方法を示す。
【００３４】
同図（ａ）において、表示画面４ａには、４ａ１、４ａ２、４ａ３、４ａ４４ａ５及び４ｂの表示画面部があり、４ａ１は「確定値」か「現在値」下の表示単位、１４ａ２は電力量、１４ａ３は有効電力量、１４ａ４は無効電力量、１４ａ５はその計測時の日時及び１４ｂは異常値判定内用が表示される。
【００３５】
そして、４ａ１は通常「現在値」が表示されているが、操作スイッチ６によって積算期間の電力量の表示を要求すると表示は「確定値」が表示される。後述する電力量の表示内用が現在値であるのか、前月の積算値の何れであるのかを確認できる。
【００３６】
通常、表示画面部４ａ１の表示が「現在値」となっている場合、表示画面部４ａ２、４ａ３、４ａ４には夫々現在使用中の電力量、有効電力量、無効電力量が表示される。ここで操作スイッチ６を操作し、確定値の要求をすると、すると、表示画面部４ａ１の表示は「確定値」に切り替わる。そして、この時の表示画面部４ａ２、４ａ３、４ａ４には、夫々前月の電力量、有効電力量、無効電力量が表示される。また、このときの表示日時が、表示画面部４ａ５に表示される。
【００３７】
前月の積算期間に異常値が検出されている場合には表示画面部４ｂに図示しない「異常値有り」が表示され、さらに異常値判定内容が異常値判定項目毎に、順次所定の表示時間のインタバルで自動的に遷移して表示される。そして、表示が終了すると自動的に表示画面部４ａ１の表示は「現在値」に戻り、夫々の表示画面部４ａ２、４ａ３、４ａ４には現在使用中の電力量、有効電力量、無効電力量が表示される。
【００３８】
図４は異常値判定内容の詳細出力の例で、３相交流電源のＲ、Ｓ、Ｔの各相の異常値の一覧表である。異常値判定項目には、電圧異常値ＶＰ、電流異常値ＶＣ、欠相判定ＰＥ、逆相判定ＲＥ、電流方向判定ＣＤがあり、この項目が各相毎に判定される。
【００３９】
同図において、各相の異常値判定コードは１乃至１５まであり、「異常判定有り」となった場合、その異常値判定コードの数値、発生回数、発生時刻が表示される。例えば、Ｓ相に欠相判定ＰＥの異常値判定が出力され、さらに、この回数が３回目で、この３回目の発生日時（年月日、とその時刻）がｘｘ：ｘｘ：ｘｘ：ｘｘ：ｘｘであると、図に示す様に表示される。
【００４０】
この表示は全て同時に表示する必要は無いので、発生した項目毎に表示するようにして、小型の表示エリアに分割表示することができる。図３（ａ）の表示画面部４ｂは異常値判定内容を分割表示した場合の表示例である。
【００４１】
さらに、小型の表示が必要とされる場合には、図３（ｂ）に示したように、同図（ａ）の表示部４ａの夫々の表示画面部４ａ２、４ａ３、４ａ４及び４ａ５を現在画面Ａ、確定画面Ｂとして表示し、表示画面部４ａ５、４ｂを異常判定画面Ｃとして分割表示する。また、確定画面Ｂには「異常値の有無」を表示する。
【００４２】
そして、現在画面Ａが表示されている場合、操作スイッチ６を操作して表示画面を切替えて前月の確定表示を要求して確定画面に切替え、「異常値有り」が表示されている場合には、異常判定画面Ｃの表示に切り替わり、異常値項目毎に自動的に遷移表示または操作スイッチ６によって手動切替え表示させる。
【００４３】
表示内容の切替えは、電力封印された電力量計１０の内部に設けられた操作スイッチ６を操作して行うが、電力量計１０の外部に設けた図示しない操作者の認証機能を備えた、無線遠隔操作スイッチによって遠隔操作することも可能である。この場合には、外部の記録装置に表示内容を送信し、一括同時に記録するように構成することも可能である。
【００４４】
以上のように構成された表示部４を備えた電力量計１０は、「異常値有り」が表示されている場合には、続けて表示される異常値判定内容が表示されるので、この内容は、需要家への電源異常値に関するサービスの提供、また改ざん等に対する警告として電力会社から需要家に対して報告される。
【００４５】
このように構成された、電力量計１０は、電力量の確定と同時に、異常値判定内容を分割し、遷移表示することによって容易に読みることができる。したがって、多数の異常値判定項目があっても発生した異常値判定項目のみを読み取ることが可能となる。
【００４６】
本発明は上記実施の形態に限定されるものでなく、その要旨を逸脱しない範囲内で変形することも可能である。例えば、表示を７セグメント方式の大型ＬＥＤのみ表示することも可能である。
【００４７】
【発明の効果】
以上説明したように、本発明によれば、供給電源の多数の異常値及び電力量計への配線の改ざん等による異常値の発見、記録がサービス員によって容易に、短時間で、確実に行える電力量計の計量状態表示方法を提供することができる。
【図面の簡単な説明】
【図１】本発明の実施の形態による構成図。
【図２】本発明の実施の形態による表示動作を説明する図。
【図３】表示部の表示を説明する図。
【図４】異常値判定の表示を説明する図。
【図５】従来の電力量計の外観の斜視図。
【図６】従来の電子式電力量計の表示を説明する図。
【図７】従来の電力量計の構成図。
【符号の説明】
１  電流・電圧変換回路
２  電力演算回路
３  異常値判定回路
４  表示部
４ａ  表示画面
５  記憶回路
６  操作スイッチ
７  ＣＰＵ
７ａ  内部バス
１０  電力量計
１１  電圧・電流変換回路
１２  電力演算回路
１４  表示回路
１４ａ  表示画面
１５  記憶回路
１６  確定押しボタン
２０  電力量計
２０ａ  電力封印部
２０ｂ  配線孔
【図１】
2004340857.tif 000003
【図２】
2004340857.tif 000004
【図３】
2004340857.tif 000005
【図４】
2004340857.tif 000006
【図５】
2004340857.tif 000007
【図６】
2004340857.tif 000008
【図７】
2004340857.tif 000009